(57)【要約】      （修正有）【課題】医療従事者が被検者の状態情報の監視を怠る可能性を低減しつつ、機密性を向上可能な生体情報監視サーバ、生体情報監視システム及び生体情報監視方法を提供する。【解決手段】生体情報監視サーバは、被検者の状態情報及び被検者の識別情報を外部から受信する通信部と、状態情報と識別情報とを関連付けて記憶する記憶部と、状態情報を識別情報と関連付けた状態で外部の表示装置に送信する制御部と、を備える。更に、制御部は、通信部を用いて、状態情報を、識別情報と関連付けられていない状態で、外部の印刷装置又は外部の音声出力装置に送信する。【選択図】図３
2019175364.tif 000002
【特許請求の範囲】
【請求項１】
被検者の状態情報及び前記被検者の識別情報を外部から受信する通信部と、
記憶部と、
前記状態情報と、前記識別情報と、を関連付けて前記記憶部に記憶させる制御部と、を備え、
前記制御部は、前記通信部を用いて、前記状態情報を、前記識別情報と関連付けられた状態で、外部の表示装置に送信し、
前記制御部は、更に、前記通信部を用いて、前記状態情報を、前記識別情報と関連付けられていない状態で、外部の印刷装置又は外部の音声出力装置に送信する、生体情報監視サーバ。
【請求項２】
前記制御部は、複数の被検者それぞれの状態情報の時系列的な変化を示す時系列情報を前記記憶部に記憶させ、前記通信部を用いて、当該時系列情報を前記状態情報として前記印刷装置又は前記音声出力装置に送信する、請求項１に記載の生体情報監視サーバ。
【請求項３】
前記制御部は、前記複数の被検者の状態情報に基づいて、前記複数の被検者それぞれのリスク度合いを示すリスク情報を算出し、前記通信部を用いて、当該リスク情報を前記状態情報として前記印刷装置又は前記音声出力装置に送信する、請求項２に記載の生体情報監視サーバ。
【請求項４】
前記制御部は、
前記通信部を用いて、前記状態情報を前記印刷装置又は前記音声出力装置に送信した後、前記表示装置からの閲覧要求を受信すると、前記状態情報を前記表示装置に送信し、
前記複数の被検者それぞれのリスク情報に基づいて、高リスク被検者の有無を判定し、
前記高リスク被検者が有りと判定されており、かつ、前記通信部を用いて前記状態情報を前記印刷装置又は前記音声出力装置に送信した後、前記表示装置からの前記閲覧要求を所定期間受信しない場合、前記通信部を用いて前記印刷装置又は前記音声出力装置に再度通知する、請求項３に記載の生体情報監視サーバ。
【請求項５】
前記制御部は、前記通信部を用いて、前記状態情報を前記印刷装置又は前記音声出力装置に送信した後、前記表示装置からの閲覧要求を受信すると、前記状態情報を前記表示装置に送信する、請求項１から３のいずれか一項に記載の生体情報監視サーバ。
【請求項６】
前記制御部は、前記表示装置からの閲覧要求を所定期間受信しない場合に、前記通信部を用いて、前記印刷装置又は前記音声出力装置に再度通知する、請求項５に記載の生体情報監視サーバ。
【請求項７】
被検者の状態情報を取得し、当該状態情報を被検者の識別情報と共に送信する生体情報取得装置と、
前記生体情報取得装置から受信した、前記状態情報と、前記識別情報と、を関連付けて記憶するサーバと、
受信した情報に基づく表示内容を出力する表示装置と、
受信した情報に基づく印刷物を生成する印刷装置、又は、受信した情報に基づく音声を出力する音声出力装置と、を備え、
前記サーバは、前記状態情報を、前記識別情報と関連付けられた状態で、前記表示装置に送信し、
前記サーバは、前記状態情報を、前記識別情報と関連付けられていない状態で、前記印刷装置又は前記音声出力装置に送信する、生体情報監視システム。
【請求項８】
生体情報監視サーバにより実行される生体情報監視方法であって、
被検者の状態情報及び前記被検者の識別情報を外部から受信するステップと、
前記状態情報と、前記識別情報と、を関連付けて記憶するステップと、
前記状態情報を、前記識別情報と関連付けられた状態で、外部の表示装置に送信するステップと、
前記状態情報を、前記識別情報と関連付けられていない情報で、外部の印刷装置又は外部の音声出力装置に送信する、ステップと、を含む生体情報監視方法。
【発明の詳細な説明】
【技術分野】
【０００１】
本開示は、生体情報監視サーバ、生体情報監視システム及び生体情報監視方法に関する。
【背景技術】
【０００２】
近年、被検者、例えば在宅医療を行っている患者等、の生体情報等の状態情報を、医師等の医療従事者が遠隔から監視することが可能な生体情報監視システムが提案されている。このような生体情報監視システムにおいては、通常、医療従事者は、パーソナルコンピュータ（ＰＣ）等の表示装置を用いて専用のサーバにアクセスし、当該サーバから受信する被検者の状態情報に基づく表示内容を確認することで、被検者の状態情報を監視することができる。
【０００３】
ところで、医療従事者によっては、このような表示装置の操作が煩雑に感じる場合がある。このことは、高齢の医療従事者にとっては特に顕著である。そこで、例えば、特許文献１には、外部から送信された被検者の生体情報を受信して蓄積するセンターシステムを備えた健康管理システムにおいて、当該センターシステムに蓄積された生体情報を、伝送先の医療従事者としての医師ごとに設定された伝送手段、例えばファクシミリ等に適する形式に加工して送信することが記載されている。
【先行技術文献】
【特許文献】
【０００４】
【特許文献１】特開２００１−２７５９９６号公報
【発明の概要】
【発明が解決しようとする課題】
【０００５】
特許文献１に記載の健康管理システムによれば、被検者の生体情報が、医療従事者ごとに設定された伝送手段に適する形式に加工されて送信されるので、医療従事者が被検者の生体情報の監視を怠る可能性を低減できる。しかしながら、設定された伝送手段が例えばファクシミリ等の印刷物である場合、当該印刷物が、被検者の生体情報を監視すべき医療従事者以外の者の目に触れる可能性があり、機密性の観点で改善の余地があった。
【０００６】
本開示の目的は、上記問題に鑑み、医療従事者が被検者の状態情報の監視を怠る可能性を低減しつつ、機密性を向上可能な生体情報監視サーバ、生体情報監視システム及び生体情報監視方法を提供することである。
【課題を解決するための手段】
【０００７】
本発明の一態様としての生体情報監視サーバは、被検者の状態情報及び前記被検者の識別情報を外部から受信する通信部と、記憶部と、前記状態情報と、前記識別情報と、を関連付けて前記記憶部に記憶させる制御部と、を備え、前記制御部は、前記通信部を用いて、前記状態情報を、前記識別情報と関連付けられた状態で、外部の表示装置に送信し、前記制御部は、更に、前記通信部を用いて、前記状態情報を、前記識別情報と関連付けられていない状態で、外部の印刷装置又は外部の音声出力装置に送信する。
【０００８】
本発明の一実施形態としての生体情報監視サーバにおいて、前記制御部は、複数の被検者それぞれの状態情報の時系列的な変化を示す時系列変化情報を前記記憶部に記憶させ、前記通信部を用いて、当該時系列変化情報を前記状態情報として前記印刷装置又は前記音声出力装置に送信する。
【０００９】
本発明の一実施形態としての生体情報監視サーバにおいて、前記制御部は、前記複数の被検者の状態情報に基づいて、前記複数の被検者それぞれのリスク度合いを示すリスク情報を算出し、前記通信部を用いて、当該リスク情報を前記状態情報として前記印刷装置又は前記音声出力装置に送信する。
【００１０】
本発明の一実施形態としての生体情報監視サーバにおいて、前記制御部は、前記通信部を用いて、前記状態情報を前記印刷装置又は前記音声出力装置に送信した後、前記表示装置からの閲覧要求を受信すると、前記状態情報を前記表示装置に送信し、前記複数の被検者それぞれのリスク情報に基づいて、高リスク被検者の有無を判定し、前記高リスク被検者が有りと判定されており、かつ、前記通信部を用いて前記状態情報を前記印刷装置又は前記音声出力装置に送信した後、前記表示装置からの前記閲覧要求を所定期間受信しない場合、前記通信部を用いて前記印刷装置又は前記音声出力装置に再度通知する。
【００１１】
本発明の一実施形態としての生体情報監視サーバにおいて、前記制御部は、前記通信部を用いて、前記状態情報を前記印刷装置又は前記音声出力装置に送信した後、前記表示装置からの閲覧要求を受信すると、前記状態情報を前記表示装置に送信する。
【００１２】
本発明の一実施形態としての生体情報監視サーバにおいて、前記制御部は、前記表示装置からの閲覧要求を所定期間受信しない場合に、前記通信部を用いて、前記印刷装置又は前記音声出力装置に再度通知する。
【００１３】
本発明の一態様としての生体情報監視システムは、被検者の状態情報を取得し、当該状態情報を被検者の識別情報と共に送信する生体情報取得装置と、前記生体情報取得装置から受信した、前記状態情報と、前記識別情報と、を関連付けて記憶するサーバと、受信した情報に基づく表示内容を出力する表示装置と、受信した情報に基づく印刷物を生成する印刷装置、又は、受信した情報に基づく音声を出力する音声出力装置と、を備え、前記サーバは、前記状態情報を、前記識別情報と関連付けられた状態で、前記表示装置に送信し、前記サーバは、前記状態情報を、前記識別情報と関連付けられていない状態で、前記印刷装置又は前記音声出力装置に送信する。
【００１４】
本発明の一態様としての生体情報監視方法は、生体情報監視サーバにより実行される生体情報監視方法であって、被検者の状態情報及び前記被検者の識別情報を外部から受信するステップと、前記状態情報と、前記識別情報と、を関連付けて記憶するステップと、前記状態情報を、前記識別情報と関連付けられた状態で、外部の表示装置に送信するステップと、前記状態情報を、前記識別情報と関連付けられていない情報で、外部の印刷装置又は外部の音声出力装置に送信する、ステップと、を含む。
【発明の効果】
【００１５】
本開示によると、医療従事者が被検者の状態情報の監視を怠る可能性を低減しつつ、機密性を向上可能な生体情報監視サーバ、生体情報監視システム及び生体情報監視方法を提供することができる。
【図面の簡単な説明】
【００１６】
【図１】本発明の一実施形態としての生体情報監視システムの全体構成を示すブロック図である。
【図２】図１の生体情報監視システムが備える生体情報取得装置の構成を示すブロック図である。
【図３】図１の生体情報監視システムが備える生体情報監視サーバの構成を示すブロック図である。
【図４】図１の生体情報監視システムが備える医療従事者用の表示装置の構成を示すブロック図である。
【図５】図１の生体情報監視システムが備える医療従事者用の印刷装置の構成を示すブロック図である。
【図６】図１の生体情報監視システムが備える医療従事者用の音声出力装置の構成を示すブロック図である。
【図７】図２の生体情報監視サーバが実行する生体情報監視処理の一例を示すフローチャートである。
【図８】図２の生体情報監視サーバが実行する被検者特定情報生成処理の一例を示すフローチャートである。
【図９】図２の生体情報監視サーバが実行するリスク判別可能情報生成処理の一例を示すフローチャートである。
【図１０】図１の生体情報監視システムの第１の動作例を示すシーケンス図である。
【図１１】図１の生体情報監視システムの第２の動作例を示すシーケンス図である。
【図１２】図５の印刷装置が生成する印刷物の第１の例を示す図である。
【図１３】図５の印刷装置が生成する印刷物の第２の例を示す図である。
【図１４】図５の印刷装置が生成する印刷物の第３の例を示す図である。
【図１５】図４の表示装置が出力する表示内容の一例を示す図である。
【発明を実施するための形態】
【００１７】
以下、本発明の一実施形態について、図面を参照して説明する。各図において共通の要素には、同一の符号を付している。
【００１８】
図１は、本発明の一実施形態としての生体情報監視システム１の全体構成を示すブロック図である。図１に示すように、本実施形態の生体情報監視システム１は、生体情報監視サーバ１０と、生体情報取得装置２０と、表示装置３０と、印刷装置４０と、音声出力装置５０と、を備える。生体情報監視サーバ１０は、例えばインターネット又は電話網などからなるネットワークを介して、生体情報取得装置２０、表示装置３０、印刷装置４０、及び音声出力装置５０それぞれと、相互に通信可能に接続されている。図１には、生体情報監視システム１が印刷装置４０及び音声出力装置５０の双方を備える例を示したが、生体情報監視システム１は、印刷装置４０及び音声出力装置５０のうち、少なくともいずれか一方を備えていればよい。
【００１９】
図１に示すように、表示装置３０、印刷装置４０、及び音声出力装置５０は、それぞれ、例えば、共通の医師等の医療従事者の居所１００に設置されており、それぞれ、例えば、医療従事者用の表示装置３０、医療従事者用の印刷装置４０、及び医療従事者用の音声出力装置５０として使用される。図１では、１つの医療従事者の居所１００に設置される表示装置３０、印刷装置４０、及び音声出力装置５０を１つずつ図示しているが、医療従事者の居所１００は複数でもよく、複数の医療従事者の居所１００それぞれに、表示装置３０、印刷装置４０、及び音声出力装置５０が設置されていてもよい。同様に、図１では、生体情報取得装置２０を３つ図示しているが、生体情報取得装置２０は１つ以上であればよい。
【００２０】
図２は、生体情報取得装置２０の構成を示すブロック図である。図２に示すように、生体情報取得装置２０は、通信部２１と、生体情報取得部２２と、記憶部２３と、制御部２４と、を備える。生体情報取得装置２０は、被検者、例えば在宅医療を行っている患者等、の状態情報を取得する。生体情報取得装置２０が取得する状態情報としては、例えば、被検者の安静時心拍数、血圧、体重、又は体脂肪率等の生体情報、被検者の気分の良し悪し等を示す症状情報、被検者の声等が入力された音声情報、被検者の顔等が撮影された画像情報、被検者の摂食時刻又は外出時刻等の生活情報等が挙げられる。医療従事者は、例えば、被検者の状態情報としての画像情報に基づいて、被検者の顔色を判別することで、被検者の健康状態を診断することができる。生体情報取得装置２０は、状態情報として、例えば被検者の安静時心拍数又は血圧等の生体情報を取得する場合には、被検者の体の所定の部位に取り付けられた状態で使用され、被検者の生体情報を、経時的に繰り返し取得してもよい。
【００２１】
通信部２１は、例えば、ネットワークに接続され、ネットワークに接続された外部装置との間で情報の送受信を行うインターフェースを備える。本実施形態では、通信部２１は、生体情報取得部２２によって取得された被検者の状態情報と、被検者の識別情報とを、ネットワークを介して生体情報監視サーバ１０に送信する。被検者の識別情報としては、被検者の氏名、識別番号、連絡先等が挙げられる。通信部２１は、被検者の状態情報が複数取得されてからまとめて送信してもよいし、被検者の状態情報が取得されるたびに送信してもよい。通信部２１は、被検者の状態情報が複数取得されてからまとめて送信する場合、例えば１日に１回等、所定の期間ごとに送信してもよい。
【００２２】
生体情報取得部２２は、被検者の状態情報を取得する。具体的に、生体情報取得部２２は、取得する被検者の状態情報に応じたセンサ、入力インターフェース、マイクロフォン、撮像素子等を備える。生体情報取得部２２は、被検者の状態情報を、所定時間間隔で取得してもよいし、所定の条件を満たしたタイミングで取得してもよい。或いは、生体情報取得装置２０が情報の入力を受け付ける入力部を備える場合、生体情報取得部２２は、被検者の状態情報を、入力部を介して入力された情報に基づくタイミングで取得してもよい。
【００２３】
記憶部２３は、例えば記憶装置を備え、種々の情報及びプログラムを記憶する。具体的に、記憶部２３は、生体情報取得部２２が被検者の状態情報を取得するためのプログラム及び情報を記憶する。記憶部２３は、通信部２１が被検者の状態情報と被検者の識別情報とを生体情報監視サーバ１０に送信するためのプログラム及び情報を記憶する。記憶部２３は、生体情報取得部２２が取得した被検者の状態情報を一時的に記憶してもよい。記憶部２３は、生体情報取得装置２０を使用する被検者の識別情報を記憶する。
【００２４】
制御部２４は、例えば記憶部２３に記憶された種々の情報及びプログラムのうち、所定の情報及びプログラムを読み込むことにより所定の機能を実現するプロセッサを備え、生体情報取得装置２０の各構成部を制御する。具体的に、制御部２４は、生体情報取得部２２によって取得された被検者の状態情報と、被検者の識別情報とを、通信部２１に送信させる。制御部２４は、生体情報取得部２２によって取得された被検者の状態情報を、記憶部２３に一時的に記憶させてもよい。
【００２５】
図３は、生体情報監視サーバ１０の構成を示すブロック図である。図３に示すように、生体情報監視サーバ１０は、通信部１１と、記憶部１２と、制御部１３と、計時部１４と、を備える。
【００２６】
通信部１１は、例えば、ネットワークに接続され、ネットワークに接続された外部装置との間で情報の送受信を行うインターフェースを備える。本実施形態では、通信部１１は、ネットワークを介して、生体情報取得装置２０からの情報を受信し、印刷装置４０及び音声出力装置５０に情報を送信し、表示装置３０と相互に情報の送受信を行う。
【００２７】
記憶部１２は、例えば記憶装置を備え、種々の情報及びプログラムを記憶する。具体的に、記憶部１２は、後述する生体情報監視処理等を制御部１３に実行させるためのプログラム及び情報を記憶する。図３に示すように、記憶部１２は、関連情報１２１と、時系列情報１２２と、を記憶する。
【００２８】
関連情報１２１は、生体情報取得装置２０から受信した被検者の状態情報と、当該被検者の識別情報と、を関連付けた情報である。関連情報１２１は、制御部１３が、被検者の状態情報と、当該被検者の識別情報と、を関連付けて記憶部１２に記憶させることで、生成される。被検者の識別情報としては、上述の通り、被検者の氏名、識別番号、連絡先等が挙げられる。１つの関連情報１２１は、１人の被検者についての情報である。すなわち、被検者が複数存在する場合、複数の関連情報１２１が記憶部１２に記憶される。関連情報１２１に含まれる状態情報は、複数であってもよい。複数の状態情報は、例えば安静時心拍数及び体重等、複数の種類の状態情報であってもよいし、異なる時刻に受信した同じ種類の状態情報であってもよい。複数の状態情報が、異なる時刻に受信した同じ種類の状態情報である場合、複数の状態情報それぞれが、例えば受信した時刻の情報と関連付けられて記憶されていてもよい。
【００２９】
時系列情報１２２は、複数の被検者それぞれの状態情報の時系列的な変化を示す情報である。時系列情報１２２は、制御部１３が、複数の生体情報取得装置２０から受信した複数の被検者それぞれの状態情報を、時系列的に記憶部１２に記憶させることで、生成される。時系列情報１２２は、病気や生死に関わるリスクの高い被検者（以下、単に「高リスク被検者」とも称する。）の有無を医療従事者が判別可能な情報であってもよい。換言すれば、医療従事者は、時系列情報１２２に基づいて、高リスク被検者の有無を判別することができてもよい。時系列情報１２２は、被検者の状態情報と、当該被検者の識別情報と、を関連付けた情報、すなわち、関連情報１２１に相当する情報、は含まない。時系列情報１２２は、例えば、状態情報を示す測定値の経時的な変化を示すグラフ（以下、単に「グラフ」とも称する。）等が、被検者ごとに生成された情報であってもよい。
【００３０】
記憶部１２は、リスク情報１２３を記憶していてもよい。リスク情報１２３は、複数の被検者それぞれのリスク度合いを示す情報である。リスク情報１２３は、制御部１３によって、複数の被検者の状態情報に基づいて算出される。リスク情報１２３は、例えば、所定の算出方法で算出されたリスクスコアであってもよいし、当該リスクスコア又は測定値等が、所定の閾値以上であるか否かを示すランク情報であってもよい。リスク情報１２３は、高リスク被検者の有無を直接的に示す情報であってもよい。
【００３１】
制御部１３は、例えば記憶部１２に記憶された種々の情報及びプログラムのうち、所定の情報及びプログラムを読み込むことにより所定の機能を実現するプロセッサを備え、生体情報監視サーバ１０の各構成部を制御する。具体的に、制御部１３は、記憶部１２に記憶された所定の情報及びプログラムを読み込み、後述する生体情報監視処理等を実行する。
【００３２】
計時部１４は、例えばリアルタイムクロック（ＲＴＣ）を備え、時間を測定する。計時部１４は、制御部１３の一機能として構成されていてもよい。
【００３３】
図４は、医療従事者用の表示装置３０の構成を示すブロック図である。図４に示すように、表示装置３０は、例えば、パーソナルコンピュータ（ＰＣ）、タブレットＰＣ、スマートフォン等で構成され、通信部３１と、表示部３２と、操作受付部３３と、記憶部３４と、制御部３５と、を備える。
【００３４】
通信部３１は、例えば、ネットワークに接続され、ネットワークに接続された外部装置との間で情報の送受信を行うインターフェースを備える。本実施形態では、通信部３１は、ネットワークを介して、生体情報監視サーバ１０と、相互に情報の送受信を行う。
【００３５】
表示部３２は、例えば液晶ディスプレイまたは有機ＥＬディスプレイなどの表示デバイスを備え、通信部３１によって受信された表示情報に基づく表示内容を出力する。
【００３６】
操作受付部３３は、例えば、キーボード、マウス、又は、表示部３２に一体的に設けられるタッチパネル等の入力インターフェースを備え、医療従事者による入力操作を受け付ける。
【００３７】
記憶部３４は、例えば記憶装置を備え、種々の情報及びプログラムを記憶する。具体的に、記憶部３４は、表示部３２が表示情報に基づく表示内容を出力するための情報及びプログラムを記憶する。
【００３８】
制御部３５は、例えば記憶部３４に記憶された種々の情報及びプログラムのうち、所定の情報及びプログラムを読み込むことにより所定の機能を実現するプロセッサを備え、表示装置３０の各構成部を制御する。具体的に、制御部３５は、通信部３１を介して受信した表示情報に基づく表示内容を、表示部３２を用いて表示させる。
【００３９】
図５は、医療従事者用の印刷装置４０の構成を示すブロック図である。図５に示すように、印刷装置４０は、例えば、ファクシミリ、複写機等で構成され、通信部４１と、印刷部４２と、を備える。
【００４０】
通信部４１は、例えば、ネットワークに接続され、ネットワークに接続された外部装置との間で情報の送受信を行うインターフェースを備える。本実施形態では、通信部４１は、ネットワークを介して、生体情報監視サーバ１０からの印刷情報を受信する。
【００４１】
印刷部４２は、通信部４１が受信した印刷情報に基づく印刷物を生成する。具体的に、印刷部４２は、配置された紙等の印刷媒体に、印刷情報に基づく印刷を行うことで、印刷物を生成する。印刷部４２は、例えばデジタルフォトフレーム等の表示デバイスを含み、印刷情報に基づく情報を当該表示デバイスに表示させることで、印刷物としての電子的印刷物を生成してもよい。ただし、確実に医療従事者に通知を行う観点から、印刷部４２は、紙等の印刷媒体に印刷を行う方が、好ましい。
【００４２】
図６は、医療従事者用の音声出力装置５０の構成を示すブロック図である。図６に示すように、音声出力装置５０は、例えば、電話機、スマートスピーカー等で構成され、通信部５１と、音声出力部５２と、を備える。
【００４３】
通信部５１は、例えば、ネットワークに接続され、ネットワークに接続された外部装置との間で情報の送受信を行うインターフェースを備える。本実施形態では、通信部５１は、ネットワークを介して、生体情報監視サーバ１０からの音声情報を受信する。
【００４４】
音声出力部５２は、例えばスピーカーを備え、通信部５１が受信した音声情報に基づく音声を出力する。
【００４５】
図７は、生体情報監視サーバ１０が実行する生体情報監視処理の一例を示すフローチャートである。図７に示す生体情報監視処理においては、生体情報監視システム１は、複数の被検者に対応する複数の生体情報取得装置２０を備え、１つの医療従事者の居所１００に設置された１つの表示装置３０、１つの印刷装置４０、及び１つの音声出力装置５０をそれぞれ備えるとして、説明する。
【００４６】
図７に示すように、まず、生体情報監視サーバ１０は、関連情報生成処理を実行する（ステップＳ１０１）。
【００４７】
図８は、生体情報監視サーバ１０が実行する関連情報生成処理の一例を示すフローチャートである。図８に示すように、生体情報監視サーバ１０は、関連情報生成処理において、まず、通信部１１を用いて、所定の被検者の状態情報及び当該被検者の識別情報を、外部の生体情報取得装置２０から受信する（ステップＳ２０１）。
【００４８】
次に、生体情報監視サーバ１０は、制御部１３を用いて、関連情報１２１（図３参照）を生成し、生成した関連情報１２１を記憶部１２に記憶する（ステップＳ２０２）。詳細には、生体情報監視サーバ１０は、制御部１３を用いて、受信した被検者の状態情報と、当該被検者の識別情報と、を関連付けて、記憶部１２に記憶する。
【００４９】
そして、生体情報監視サーバ１０は、制御部１３を用いて、全ての被検者についての関連情報１２１を生成済みであるか否かを判定する（ステップＳ２０３）。生体情報監視サーバ１０は、全ての被検者についての関連情報１２１を生成済みではない場合（ステップＳ２０３のＮｏ）、上述のステップＳ２０１の処理に戻る。一方、生体情報監視サーバ１０は、全ての被検者についての関連情報１２１を生成済みである場合（ステップＳ２０３のＹｅｓ）、関連情報生成処理を終了して、後述するステップＳ１０２（図７参照）の処理に進む。
【００５０】
図７に示すように、生体情報監視サーバ１０は、上述のステップＳ１０１の処理の後、時系列情報生成処理を実行する（ステップＳ１０２）。具体的には、生体情報監視サーバ１０は、制御部１３を用いて、上述のステップＳ１０１の処理で受信した複数の被検者の状態情報に基づいて、複数の被検者それぞれの状態情報の時系列的な変化を示す時系列変化情報を、時系列情報１２２（図３参照）として、生成する。
【００５１】
その後、生体情報監視サーバ１０は、リスク情報生成処理を実行する（ステップＳ１０３）。具体的には、生体情報監視サーバ１０は、上述のステップＳ１０１の処理で受信した複数の被検者の状態情報に基づいて、複数の被検者それぞれのリスク度合いを示すリスク情報１２３（図３参照）を生成する。
【００５２】
図９は、生体情報監視サーバ１０が実行するリスク情報生成処理の一例を示すフローチャートである。図９に示すように、生体情報監視サーバ１０は、まず、制御部１３を用いて、上述のステップＳ１０１の処理で受信した複数の被検者の状態情報に基づいて、高リスク被検者の有無を判定する（ステップＳ３０１）。生体情報監視サーバ１０は、例えば、所定期間（例えば直前の７日間）で、状態情報としての安静時心拍数の変動幅が所定幅（例えば、２０ｂｐｍ）を超える日が所定日数（例えば、５日）以上となる被検者が存在する場合に、高リスク被検者有りと判定してもよい。生体情報監視サーバ１０は、例えば、所定期間（例えば直前の７日間）で、状態情報としての体重が、所定幅（例えば、５ｋｇ）以上増加した被検者が存在する場合に、高リスク被検者有りと判定してもよい。生体情報監視サーバ１０は、例えば、リスク情報１２３として、上述したリスクスコアを用いる場合、当該リスクスコアが所定の閾値以上となる被検者が存在する場合に、高リスク被検者有りと判定してもよい。
【００５３】
次に、生体情報監視サーバ１０は、制御部１３を用いて、上述のステップＳ３０１の判定結果に基づいて、リスク度合いとしての高リスク被検者の有無を示す情報を含む、リスク情報１２３（図３参照）を生成して（ステップＳ３０２）、リスク情報生成処理を終了して、後述するステップＳ１０４（図７参照）の処理に進む。このように、生体情報監視サーバ１０は、高リスク被検者の有無を示す情報を含むリスク情報１２３を生成してもよい。
【００５４】
図７に示すように、生体情報監視サーバ１０は、上述のステップＳ１０３の処理の後、通信部１１を用いて、複数の被検者の状態情報を、当該複数の被検者それぞれの識別情報と関連付けられていない状態で、印刷装置４０又は音声出力装置５０に送信する（ステップＳ１０４）。具体的に、生体情報監視サーバ１０は、複数の被検者それぞれの状態情報の時系列的な変化を示す時系列変化情報としての時系列情報１２２を、当該複数の被検者それぞれの識別情報と関連付けられていない状態で、印刷装置４０又は音声出力装置５０に送信してもよい。或いは、生体情報監視サーバ１０は、複数の被検者それぞれのリスク度合いを示すリスク情報を、当該複数の被検者それぞれの識別情報と関連付けられていない状態で、印刷装置４０又は音声出力装置５０に送信してもよい。具体的に、生体情報監視サーバ１０は、印刷装置４０に情報を送信する場合には、制御部１３を用いて印刷情報を生成し、生成した印刷情報を、通信部１１を用いて印刷装置４０に送信する。一方、生体情報監視サーバ１０は、音声出力装置５０に情報を送信する場合には、制御部１３を用いて音声情報を生成し、生成した音声情報を、通信部１１を用いて音声出力装置５０に送信する。
【００５５】
その後、生体情報監視サーバ１０は、表示装置３０から、通信部１１を介して閲覧要求を受信したか否かを、制御部１３を用いて判定する（ステップＳ１０５）。閲覧要求は、医療従事者によって表示装置３０に入力される、関連情報１２１を閲覧することを要求する情報である。生体情報監視サーバ１０は、閲覧要求を受信した場合（ステップＳ１０５のＹｅｓ）、通信部１１を用いて、複数の被検者の状態情報を、当該複数の被検者それぞれの識別情報と関連付けられた状態で、表示装置３０に送信する（ステップＳ１０６）。具体的に、生体情報監視サーバ１０は、被検者ごとの関連情報１２１を含む表示情報を、制御部１３を用いて生成し、生成した表示情報を、通信部１１を用いて表示装置３０に送信してもよい。生体情報監視サーバ１０は、ステップＳ１０６の処理における上記表示情報の生成を、上述のステップＳ１０１の処理の後の任意の時点で、予め行っていてもよい。
【００５６】
一方、生体情報監視サーバ１０は、閲覧要求を受信していない場合（ステップＳ１０５のＮｏ）、後述するステップＳ１０７の処理に進む。なお、生体情報監視サーバ１０は、閲覧要求を受信していない場合（ステップＳ１０５のＮｏ）であって、かつ、上述のステップＳ３０１の処理を実行していない場合、ステップＳ１０５の処理に戻る。
【００５７】
ステップＳ１０７の処理において、生体情報監視サーバ１０は、上述のステップＳ３０１（図９参照）の処理で、高リスク被検者が有りと判定されていたか否かを、制御部１３を用いて判定する。生体情報監視サーバ１０は、高リスク被検者が無しと判定されていた場合（ステップＳ１０７のＮｏ）、上述のステップＳ１０５の処理に戻る。一方、生体情報監視サーバ１０は、高リスク被検者が有りと判定されていた場合（ステップＳ１０７のＹｅｓ）、後述するステップＳ１０８の処理に進む。
【００５８】
ステップＳ１０８の処理において、生体情報監視サーバ１０は、上述のステップＳ１０４の処理で、状態情報を印刷装置４０又は音声出力装置５０に送信した後、所定期間が経過したか否かを、制御部１３を用いて判定する。所定期間が経過したか否かの判定は、例えば、ステップＳ１０４の処理で状態情報を送信した時点から現時点までの経過期間を、計時部１４を用いて測定し、当該経過期間が記憶部１２に記憶された所定期間に到達したか否かを判定することで、実行できる。
【００５９】
生体情報監視サーバ１０は、所定期間が経過していない場合（ステップＳ１０８のＮｏ）、上述のステップＳ１０５の処理に戻る。一方、生体情報監視サーバ１０は、所定期間が経過している場合（ステップＳ１０８のＹｅｓ）、通信部１１を用いて、印刷装置４０又は音声出力装置５０に再度通知する（ステップＳ１０９）。具体的に、生体情報監視サーバ１０は、上述のステップＳ１０４の処理で印刷装置４０に状態情報を送信していた場合、印刷装置４０に再度情報を送信して通知する。一方、生体情報監視サーバ１０は、上述のステップＳ１０４の処理で音声出力装置５０に状態情報を送信していた場合、音声出力装置５０に再度情報を送信して通知する。生体情報監視サーバ１０が、印刷装置４０又は音声出力装置５０に再度通知する際に送信する情報は、状態情報を含まなくてもよく、状態情報を含む場合には、対応する被検者の識別情報と関連付けられていない状態で、送信される。
【００６０】
図７に示した生体情報監視処理では、生体情報監視サーバ１０は、ステップＳ１０５の処理において閲覧要求を受信していないと判定した場合（ステップＳ１０５のＮｏ）、ステップＳ１０７の処理に進まず、ステップＳ１０８の処理に進んでもよい。すなわち、生体情報監視サーバ１０は、高リスク被検者の有無によらず、印刷装置４０又は音声出力装置５０に状態情報を送信してから所定期間以上閲覧要求を受信しない場合には、印刷装置４０又は音声出力装置５０に再度通知してもよい。
【００６１】
生体情報監視サーバ１０は、ステップＳ１０８の処理において、印刷装置４０又は音声出力装置５０に状態情報を送信した後ではなく、前回に閲覧要求を受信した後から、所定期間が経過したか否かを判定してもよい。
【００６２】
図１０は、生体情報監視システム１の第１の動作例を示すシーケンス図である。図１０に示すように、生体情報取得装置２０は、被検者の状態情報を、生体情報取得部２２を用いて取得する（ステップＳ６０１）。その後、生体情報取得装置２０は、取得した状態情報及び当該被検者の識別情報を、通信部２１を用いて、生体情報監視サーバ１０に送信する（ステップＳ６０２）。
【００６３】
生体情報監視サーバ１０は、生体情報取得装置２０から被検者の状態情報及び識別情報を受信すると、関連情報生成処理（ステップＳ６０３）、時系列情報生成処理（ステップＳ６０４）、及びリスク情報生成処理（ステップＳ６０５）をそれぞれ実行する。ステップＳ６０３の関連情報生成処理は、上述のステップＳ１０１（図７参照）及びステップＳ２０１〜Ｓ２０３（図８参照）の各処理と同様であり、ステップＳ６０４の時系列情報生成処理は、上述のステップＳ１０２（図７参照）の処理と同様であり、ステップＳ６０５のリスク情報生成処理は、ステップＳ１０３（図７参照）及びステップＳ３０１、Ｓ３０２（図９参照）の各処理と同様であるので、ここでは説明を省略する。
【００６４】
生体情報監視サーバ１０は、上述のステップＳ６０５の処理の後、通信部１１を用いて、複数の被検者の状態情報を、当該複数の被検者それぞれの識別情報と関連付けられていない状態で、印刷情報として、印刷装置４０に送信する（ステップＳ６０６）。ステップＳ６０６の処理は、上述のステップＳ１０４（図７参照）の処理において、印刷装置４０に情報を送信する場合に対応する。
【００６５】
印刷装置４０は、通信部４１を介して、生体情報監視サーバ１０から印刷情報を受信すると、受信した印刷情報に基づく印刷物を、印刷部４２を用いて生成する（ステップＳ６０７）。
【００６６】
図１２は、印刷装置４０が生成する印刷物の第１の例を示す図である。図１２に示す印刷物には、関連情報１２１に基づく印刷領域は含まれておらず、かつ、時系列情報１２２に基づく印刷領域（以下、単に「時系列情報印刷領域」とも称する。）１２２ａ、及びリスク情報１２３に基づく印刷領域（以下、単に「リスク情報印刷領域」とも称する。）１２３ａが含まれている。図１２に示す例では、時系列情報印刷領域１２２ａには、各被検者についてのグラフが、被検者の識別情報を伏せた状態で印刷されている。また、リスク情報印刷領域１２３ａには、各被検者についてのリスクスコアが、被検者の識別情報を伏せた状態で印刷されている。
【００６７】
図１３は、印刷装置４０が生成する印刷物の第２の例を示す図である。図１３に示す印刷物には、関連情報１２１に基づく印刷領域は含まれておらず、かつ、リスク情報印刷領域１２３ａが含まれている。図１３に示す例では、リスク情報印刷領域１２３ａには、高リスク被検者有りの情報を示す文字列である、「リスク高：１名」を含む、ランク情報が、被検者の識別情報を伏せた状態で印刷されている。
【００６８】
図１０に示すように、ステップＳ６０７の処理の後、表示装置３０は、医療従事者からの閲覧要求の入力を、操作受付部３３を用いて受け付けると（ステップＳ６０８）、通信部３１を用いて、閲覧要求を生体情報監視サーバ１０に送信する（ステップＳ６０９）。
【００６９】
生体情報監視サーバ１０は、閲覧要求を表示装置３０から受信すると、複数の被検者の状態情報を、当該複数の被検者それぞれの識別情報と関連付けられた状態とした表示情報を、制御部１３を用いて生成し（ステップＳ６１０）、通信部１１を用いて表示装置３０に送信する（ステップＳ６１１）。ステップＳ６１０及びＳ６１１の処理は、ステップＳ１０６（図７参照）の処理と同様である。
【００７０】
表示装置３０は、生体情報監視サーバ１０から表示情報を受信すると、受信した表示情報に基づく表示内容を出力する（ステップＳ６１２）。
【００７１】
図１５は、表示装置３０が出力する表示内容の一例を示す図である。図１５に示すように、ステップＳ６１２の処理で表示装置３０が出力する表示内容には、関連情報１２１に基づく表示領域（以下、単に「関連情報表示領域」とも称する。）１２１ｂが含まれている。図１５に示す例では、関連情報表示領域１２１ｂには、被検者の識別情報としての患者氏名及び患者連絡先が表示され、被検者の状態情報に基づくリスクスコア及びグラフが表示されている。
【００７２】
図１１は、生体情報監視システム１の第２の動作例を示すシーケンス図である。本動作例では、生体情報監視サーバ１０は、リスク情報生成処理（ステップＳ７０５）で、高リスク被検者有りと判定する場合について説明する。図１１に示すステップＳ７０１〜Ｓ７０７の各処理は、ステップＳ６０１〜Ｓ６０７の各処理とそれぞれ同一であるので、ここでは説明を省略する。
【００７３】
図１１に示すように、生体情報監視サーバ１０は、印刷情報を印刷装置４０に送信した後、表示装置３０からの閲覧要求を受信しないまま所定期間経過すると（ステップＳ７０８）、印刷情報を印刷装置４０に再送信する（ステップＳ７０９）。印刷装置４０は、再受信した印刷情報に基づく印刷物を生成する（ステップＳ７１０）。
【００７４】
図１４は、印刷装置４０が生成する印刷物の第３の例を示す図である。図１４に示すように、ステップＳ７１０の処理で生成される印刷物には、関連情報１２１に基づく印刷領域は含まれていない。詳細には、例えば図１４に示すように、当該印刷物は、時系列情報印刷領域１２２ａ及びリスク情報印刷領域１２３ａのいずれも含まなくてもよく、表示装置３０を用いた関連情報１２１の確認を、医療従事者に促すための通知であってもよい。
【００７５】
このように、本実施形態の生体情報監視サーバ１０によれば、被検者の状態情報を、当該被検者の識別情報と関連付けられた状態で、医療従事者用の表示装置３０に送信し、当該状態情報を、当該識別情報と関連付けられていない状態で、医療従事者用の印刷装置４０又は音声出力装置５０に送信することができる。従って、印刷物又は音声によって、被検者の識別情報と関連付けられていない状態情報をより確実に医療従事者に通知することができると共に、通知を受けた医療従事者に表示装置３０を操作等させることで、機密性を確保した上で、被検者の識別情報と関連付けられた状態情報を確認させることができる。よって、医療従事者が被検者の状態情報の監視を怠る可能性を低減しつつ、機密性を向上させることができる。
【００７６】
本実施形態の生体情報監視サーバ１０によれば、印刷装置４０又は音声出力装置５０に送信する情報として、複数の被検者それぞれの状態情報の時系列的な変化を示す時系列情報１２２を含めることができる。従って、印刷物又は音声による通知を受けた医療従事者は、時系列情報１２２に基づいて、例えば高リスク被検者の有無を判別することができるので、表示装置３０を用いて被検者の識別情報と関連付けられた状態情報を確認する前に、緊急性を判断することができる。
【００７７】
本実施形態の生体情報監視サーバ１０によれば、印刷装置４０又は音声出力装置５０に送信する情報として、複数の被検者それぞれのリスク度合いを示すリスク情報１２３を含めることができる。従って、印刷物又は音声による通知を受けた医療従事者は、高リスク被検者の有無をより確実に判別することができるので、表示装置３０を用いて被検者の識別情報と関連付けられた状態情報を確認する前に、緊急性をより確実に判断することができる。
【００７８】
本実施形態の生体情報監視サーバ１０によれば、高リスク被検者が有りと判定されており、かつ、状態情報を印刷装置４０又は音声出力装置５０に送信した後、表示装置３０からの閲覧要求を所定期間受信しない場合に、印刷装置４０又は音声出力装置５０に再度通知することができる。従って、医療従事者に被検者の識別情報と関連付けられた状態情報を確認させる緊急性が高い場合には、繰り返し通知して、当該情報の確認を促すことができる。
【００７９】
本発明は、上述した各実施形態で特定された構成に限定されず、特許請求の範囲に記載した内容を逸脱しない範囲内で種々の変形が可能である。例えば、各構成部、各ステップなどに含まれる機能などは論理的に矛盾しないように再配置可能であり、複数の構成部やステップなどを１つに組み合わせたり、或いは分割したりすることが可能である。
【００８０】
図７に示した生体情報監視処理において、生体情報監視サーバ１０は、ステップＳ１０４の処理で閲覧要求を受信した後、表示装置３０の操作者が医療従事者本人であるか否かの認証を行い、正しく認証された場合にのみ、ステップＳ１０５の処理に進む構成としてもよい。当該認証としては、指紋等の生体認証、パスワード認証等が挙げられる。これにより、機密性をより向上させることができる。
【００８１】
図７に示した生体情報監視処理において、生体情報監視サーバ１０は、ステップＳ１０３の処理で送信する情報に、パスワード等の認証情報を含めておき、ステップＳ１０４の処理で閲覧要求を受信した後、表示装置３０から当該認証情報が送信された場合にのみ、表示装置３０の操作者が医療従事者本人であると判定して、ステップＳ１０５の処理に進む構成としてもよい。これにより、機密性をより一層向上させることができる。
【００８２】
図７に示した生体情報監視処理において、生体情報監視サーバ１０は、ステップＳ２０１の処理で受信した状態情報に、医療従事者により要観察と設定されていた被検者からの状態情報が含まれる場合や、生体情報取得装置２０等を介して被検者からのリアクション要求があった場合に、ステップＳ１０９の処理を実行し、印刷装置４０又は音声出力装置５０に再度通知してもよい。
【産業上の利用可能性】
【００８３】
本開示は、生体情報監視サーバ、生体情報監視システム及び生体情報監視方法に関する。
【符号の説明】
【００８４】
１：生体情報監視システム
１０：生体情報監視サーバ
１１：通信部
１２：記憶部
１２１：関連情報
１２１ｂ：関連情報表示領域
１２２：時系列情報
１２２ａ：時系列情報印刷領域
１２３：リスク情報
１２３ａ：リスク情報印刷領域
１３：制御部
１４：計時部
２０：生体情報取得装置
２１：通信部
２２：生体情報取得部
２３：記憶部
２４：制御部
３０：表示装置
３１：通信部
３２：表示部
３３：操作受付部
３４：記憶部
３５：制御部
４０：印刷装置
４１：通信部
４２：印刷部
５０：音声出力装置
５１：通信部
５２：音声出力部
１００：医療従事者の居所
【図１】
2019175364.tif 000003
【図２】
2019175364.tif 000004
【図３】
2019175364.tif 000005
【図４】
2019175364.tif 000006
【図５】
2019175364.tif 000007
【図６】
2019175364.tif 000008
【図７】
2019175364.tif 000009
【図８】
2019175364.tif 000010
【図９】
2019175364.tif 000011
【図１０】
2019175364.tif 000012
【図１１】
2019175364.tif 000013
【図１２】
2019175364.tif 000014
【図１３】
2019175364.tif 000015
【図１４】
2019175364.tif 000016
【図１５】
2019175364.tif 000017